(57)【特許請求の範囲】
【請求項１】
２本の糸を結束させるのに用いる結束補助具において、第１の糸を折り返すようにして所要間隔を介した並行状態で保持する保持部材に、折り返された前記の第１の糸を並行状態になるように導入させる一対の切込みが形成された保持部が、保持部材の長さ方向に所要間隔を介して複数設けられると共に、前記の保持部材に回転可能に保持される回転部材に、前記の保持部における一対の切込みに対応するようにして、折り返された前記の第１の糸を並行状態になるようにして導入させる一対の切込みが形成された回転部が設けられ、この回転部が前記の保持部材における保持部間に回転可能に保持され、前記の保持部と回転部とにおける前記の一対の切込み間にそれぞれ切込方向に沿って回転部材の回転中心を超えたスリットが設けられ、前記の回転部材が保持部材に対して相対的に回転されて、前記の保持部のスリットと前記の回転部のスリットとにより、第２の糸を保持部材の長さ方向に挿通させる挿通穴部が形成されることを特徴とする結束補助具。
【請求項２】
請求項１に記載の結束補助具において、前記の第１の糸が、ポリエチレン製の撚糸を用いたメインラインであり、前記の第２の糸が、透明なリーダーであることを特徴とする結束補助具。
【請求項３】
請求項１又は請求項２に記載の結束補助具において、前記の保持部材における保持部に形成された一対の切込みの間及び前記の回転部材における回転部に形成された一対の切込みの間にそれぞれ円柱状の糸ガイド部が設けられ、これらの糸ガイド部にそれぞれ前記のスリットが設けられていることを特徴とする結束補助具。
【請求項４】
請求項１〜請求項３の何れか１項に記載の結束補助具において、前記の保持部における一対の切込み及び前記の回転部における一対の切込みにおける切込方向端部に、それぞれ前記の回転部材の回転中心と交差するように傾斜したガイド斜面が形成されていることを特徴とする結束補助具。
【請求項５】
請求項１〜請求項４の何れか１項に記載の結束補助具において、前記の保持部材に、前記の保持部の開閉を行う蓋体を設けると共に、この蓋体に、前記の保持部材内において折り返すようにして導入された第１の糸にループを形成し、第１の糸のループ内に第２の糸を挿通させた状態で、この第１の糸を折り返し側と反対側に引き出す際に、前記のループを前記の第２の糸に締め付ける抵抗部を設けたことを特徴とする結束補助具。
【請求項６】
請求項５に記載の結束補助具において、前記の蓋体に、前記の糸を係止させるための係止部材を設けたことを特徴とする結束補助具。
【発明の詳細な説明】
【技術分野】
【０００１】
本発明は、２本の糸を結束させるのに用いる結束補助具に関するものである。特に、ポリエチレン製の撚糸からなるメインラインと、透明モノフィラメント等からなるリーダーとを結束させるにあたり、これら２種類の糸が外れないように結束させることが簡単かつ確実に行えるようにした点に特徴を有するものである。
【背景技術】
【０００２】
近年、ルアーフィッシング等の釣りにおいては、リールに巻くメインラインとして、破断しにくく、伸びにくい高強度のものであって、遠投に適する等の点から、ポリエチレン製の撚糸（ＰＥラインと呼ばれる。）が用いられ、このメインラインの先端に透明モノフィラメント等からなるリーダーを結束させることが行われている。
【０００３】
しかし、ＰＥラインは表面がつるつるして滑り易く、ＰＥラインを透明モノフィラメント等からなるリーダーに結束させる場合、糸相互の表面摩擦が少なく、従来の結束方法ではリーダーが糸抜けしやすいという問題があった。
【０００４】
このため、ＰＥラインからなるメインラインと透明モノフィラメント等からなるリーダーとを結束させる方法として、一般に、ＦＧノット、ＳＦノット、ミッドノット、ＰＲノット等の結束方法が提案され、特に、ＦＧノットは結束強度が高く、また編み付け時における編みコブが小さく点から、優れた結束方法として広くルアー釣りの愛好者に知られている。
【０００５】
しかし、ＦＧノットの結び方は非常に複雑であり、ＰＥラインからなるメインラインと透明モノフィラメント等からなるリーダーとをＦＧノットによって結束させる場合、両手を駆使して行う必要があり、このような結束を行うのに熟練を要し、初心者にとって非常に困難かつ面倒であった。特に、片手の二本の指にＰＥラインを巻きつけて編み付ける場合に、長い時間を要すると共に、編み付けの強度が一定せず、不完全な結束になって糸抜けの原因となっていた。さらに、夜間等の暗い状態で、上記のようなメインラインとリーダーとをＦＧノットによって結束させることは、熟練者であっても非常に困難であった。
【０００６】
このため、近年においては、ＰＥラインからなるメインラインと透明モノフィラメント等からなるリーダーとをＦＧノット等によって結束させる場合に、これを補助するための結束補助具が開発されている。
【０００７】
そして、このような結束補助具として、特許文献１，２に示される結束補助具においては、回動中心から両側に所要角度を介するようにして延出された２つのアームの先端に係止部を設け、この係止部間にメインラインを張った状態で保持させ、このように張った状態で保持されたメインラインに対して、リーダーを何度も編み込んだ後、ハーフピッチを行い、その後、一方のメインラインの支線側を一方の係止部から取り外す一方、この係止部にリーダーの本線側を保持させ、メインラインの本線とリーダーの本線とを係止部間に張った状態で保持させ、前記のメインラインの支線によってメインラインの本線とリーダーの支線とを編み込むようにしている。
【０００８】
しかし、特許文献１，２に示される結束補助具においては、２つのアームの先端に設けられた係止部間にメインラインを張った状態で保持させるだけであり、このように保持されたメインラインに対して、リーダーを張った状態で何度も編み込む操作が必要になり、依然として、初心者にとっては非常に困難かつ面倒であり、これらの糸を結束させるのに長い時間を要すると共に、十分な結束強度を安定して得ることができない等の問題があった。
【先行技術文献】
【特許文献】
【０００９】
【特許文献１】特開２０１１−７８４０６号公報
【特許文献２】特開２０１３−１２８４４１号公報
【発明の開示】
【発明が解決しようとする課題】
【００１０】
本発明は、２本の糸、特に、ポリエチレン製の撚糸からなるメインラインと透明モノフィラメント等からなるリーダーとを結束させるにあたり、これら２種類の糸を外れないように結束させることが簡単かつ確実に行えるようにすることを課題とするものである。
【課題を解決するための手段】
【００１１】
本発明に係る結束補助具においては、前記のような課題を解決するため、２本の糸を結束させるのに用いる結束補助具において、第１の糸を折り返すようにして所要間隔を介した並行状態で保持する保持部材に、折り返された前記の第１の糸を並行状態になるように導入させる一対の切込みが形成された保持部が、保持部材の長さ方向に所要間隔を介して複数設けられると共に、前記の保持部材に回転可能に保持される回転部材に、前記の保持部における一対の切込みに対応するようにして、折り返された前記の第１の糸を並行状態になるようにして導入させる一対の切込みが形成された回転部が設けられ、この回転部が前記の保持部材における保持部間に回転可能に保持され、前記の保持部と回転部とにおける前記の一対の切込み間にそれぞれ切込方向に沿って回転部材の回転中心を超えたスリットが設けられ、前記の回転部材が保持部材に対して相対的に回転されて、前記の保持部のスリットと前記の回転部のスリットとにより、第２の糸を保持部材の長さ方向に挿通させる挿通穴部が形成されるようにしている。
【００１２】
ここで、この結束補助具においては、前記の保持部材の各保持部に形成された一対の切込みと、保持部間に回転可能に保持された回転部材の各回転部に形成された一対の切込みとを一致させた状態で、第１の糸を保持部材の長さ方向一端側から保持部及び回転部における片側の切込み内に導入させるようにして、保持部材の長さ方向他端側に導き、この保持部材の長さ方向他端側において前記の第１の糸を折り返して、折り返された第１の糸を前記の保持部及び回転部における他方の切込み内に導入させて、保持部材の長さ方向一端側に戻すようにする。
【００１３】
次いで、前記の回転部材を回転させて、各保持部における切込みと各回転部における切込みとが逆方向になるようにし、前記の第１の糸を各保持部と各回転部との間において捩るようにして、各保持部と各回転部とにそれぞれ第１の糸によるループを形成する共に、前記の保持部のスリットと回転部のスリットとにより保持部材の長さ方向に挿通される挿通穴部を形成する。
【００１４】
そして、第１の糸が折り返された保持部材の長さ方向他端側から第２の糸を前記の挿通穴部に挿通させ、この第２の糸を前記のように各保持部と各回転部とに形成された第１の糸の各ループ内を通して、保持部材の長さ方向一端側に導出させる。
【００１５】
その後、回転された回転部材を元に戻す方向に回転させて、各保持部における一対の切込みと、保持部間に回転可能に保持された回転部における一対の切込みとを一致させると共に、保持部のスリットと回転部のスリットとを一致させ、前記のように第２の糸を第１の糸の各ループ内に挿通させた状態で、この第１の糸と第２の糸とを、各保持部と各回転部における各切込みと各スリットを通して、各保持部及び各回転部から取り出すと共に、折り返されて保持部材の長さ方向一端側に戻された第１の糸を引っ張り、第１の糸における各ループを順々に保持部材の長さ方向一端側に引き寄せ、保持部材の長さ方向一端側において第１の糸における各ループを第２の糸に締め付けるようにする。
【００１６】
このため、この結束補助具を用いると、保持部材の長さ方向一端側において、第２の糸に対して、第１の糸における各ループに対応した複数の編み付けをまとめて行えるようになる。
【００１７】
ここで、この結束補助具においては、前記の第１の糸として、ポリエチレン製の撚糸からなるメインラインを用い、前記の第２の糸として、透明なリーダーを用いた場合においても、前記のようにしてメインラインをリーダーに対して簡単に編みつけることができるようになる。
【００１８】
また、この結束補助具においては、前記の保持部材における保持部に設けられた一対の切込みの間及び前記の回転部材における回転部に設けられた一対の切込みの間にそれぞれ円柱状の糸ガイド部を設け、これらの糸ガイド部にそれぞれ前記のスリットを設けるようにすることができる。このようにすると、第１の糸を保持部や回転部における切込み内に導入させる際に、第１の糸が保持部や回転部に引っ掛かったりするのが防止され、前記のように第１の糸を、保持部材の長さ方向一端側から導入させ、保持部材の長さ方向他端側において折り返して保持部材の長さ方向一端側に戻すにあたり、第１の糸を各保持部及び各回転部における一対の各切込み内に導入させる作業が簡単に行えるようになる。また、複数のループが形成された第１の糸を、各保持部と各回転部における各切込みを通して取り出す場合にも、第１の糸が保持部や回転部に引っ掛かったりするのが防止され、このような作業も簡単に行えるようになる。
【００１９】
また、この結束補助具において、前記の保持部における一対の切込み及び前記の回転部における一対の切込みにおける切込方向端部に、それぞれ前記の回転部材の回転中心と交差するように傾斜したガイド斜面を形成することが好ましい。このようにすると、前記のように回転部材を回転させて、第１の糸を各保持部と各回転部との間において捩るようにして、各保持部と各回転部材とにそれぞれ第１の糸によるループを形成する場合に、この各保持部と各回転部とに形成されるループが、保持部及び回転部の各切込みにおけるガイド斜面に沿ってジグザグ状に傾斜した状態になって、その中央部に前記の挿通穴部が形成されるようになり、挿通穴部を通して第２の糸を各保持部と各回転部とに保持された第１の糸の各ループ内に通す作業が簡単かつ確実に行えるようになる。
【００２０】
また、この結束補助具において、前記の保持部材に、前記の保持部の開閉を行う蓋体を設けると共に、この蓋体に、前記の保持部材内において折り返すようにして導入された第１の糸にループを形成した状態で、この第１の糸を折り返し側と反対側に引き出す際に、前記のループを前記の第２の糸に締め付ける抵抗部を設けることが好ましい。このようにすると、前記のように第１の糸における各ループを順々に保持部材の長さ方向一端側に引き寄せて、第１の糸における各ループを第２の糸に締め付ける作業が確実に行えるようになる。
【００２１】
また、前記のように保持部材に保持部の開閉を行う蓋体を設けた場合に、蓋体に糸を係止させるための係止部材を設けることができる。
【発明の効果】
【００２２】
本発明に係る結束補助具を用いると、前記のように第１の糸を保持部材の長さ方向一端側から導入させて他端側において折り返し、第１の糸を保持部及び回転部における両側の切込み内に導入させた状態で、前記の回転部材を回転させて、前記の第１の糸を各保持部と各回転部との間において捩るようにして、各保持部と各回転部とにそれぞれ第１の糸によるループを形成し、第２の糸を前記の挿通穴部に挿通させて、保持部と各回転部とに保持された第１の糸の各ループ内を通した後、回転部材を回転させて元に戻し、前記の第１の糸と第２の糸とを各保持部及び各回転部から取り出し、この状態で、第１の糸を保持部材の長さ方向一端側から引っ張ることにより、各保持部と各回転部とにおいて形成された第１の糸の各ループが締め付けられ、第２の糸に対して、第１の糸の各ループに対応した複数の編み付けをまとめて行うことができるようになる。
【００２３】
この結果、本発明に係る結束補助具を用いると、２つの糸が外れないように結束させる作業が簡単かつ確実に行えるようになる。
【図面の簡単な説明】
【００２４】
【図１】本発明の実施形態に係る結束補助具の分解斜視図である。
【図２】前記の実施形態に係る結束補助具に用いる保持部材を示し、（Ａ）は概略平面図、（Ｂ）は概略側面図、（Ｃ）は断面説明図である。
【図３】前記の実施形態に係る結束補助具に用いる回転部材を示し、（Ａ）は概略平面図、（Ｂ）は概略正面図、（Ｃ）は概略背面図、（Ｄ）は断面説明図である。
【図４】前記の実施形態に係る結束補助具に用いる蓋体の概略底面図である。
【図５】前記の実施形態に係る結束補助具において蓋体を開けた状態を示した概略斜視図である。
【図６】前記の実施形態に係る結束補助具において、保持部材の保持部間に装着された回転部材の回転部を回転させる状態を示し、（Ａ）は回転部と保持部とに設けられた切込み、糸ガイド部及びスリットを一致させた状態を示した概略説明図、（Ｂ）は（Ａ）の状態から回転部を１８０度回転させた状態を示した概略説明図である。
【図７】前記の実施形態に係る結束補助具において、保持部材の各保持部間に各回転部材の各回転部を保持させて、回転部と保持部とに設けられた切込み、糸ガイド部及びスリットを一致させた状態を示した概略平面図である。
【図８】前記の実施形態に係る結束補助具において、保持部材の各保持部間に各回転部材の各回転部を保持させて、回転部と保持部とに設けられた切込み、糸ガイド部及びスリットを一致させた状態を示した概略断面図である。
【図９】前記の実施形態に係る結束補助具において、図７に示した状態で、保持部材の保持部及び回転部材の回転部に設けられた一対の切込みに第１の糸を導入させて、第１の糸を保持部材に折り返すように保持させた状態を示した概略平面図である。
【図１０】前記の実施形態に係る結束補助具において、図９に示した状態から、回転部を１８０度回転させた状態を示し、（Ａ）は部分概略平面図、（Ｂ）は部分概略断面図、（Ｃ）は部分概略正面図である。
【図１１】前記の実施形態に係る結束補助具において、図１０に示した状態から、第２の糸を第１の糸が折り返された保持部材の他端側から前記の挿通穴部内を挿通させて保持部材の長さ方向一端側から導出させる状態を示し、（Ａ）は部分概略平面図、（Ｂ）は部分概略断面図、（Ｃ）は部分概略正面図である。
【図１２】前記の実施形態に係る結束補助具において、ジグザグ状に傾斜した状態で形成された第１の糸の各ループ内に、第２の糸が挿通された状態を示した模式図である。
【図１３】前記の実施形態に係る結束補助具において、図１１に示した状態から、１８０度回転された回転部を元に戻す方向に１８０度回転させた状態を示した部分概略平面図である。
【図１４】前記の実施形態に係る結束補助具において、第２の糸に第１の糸が巻き付いた状態で、これらの糸を保持部材から蓋体内に導き、第２の糸の本線側を蓋体の係止部材に係止させ、２本の第１の糸（本線と支線）を蓋体の糸誘導部の両側に分離させて別々に導くと共に、第２の糸の支線側を糸誘導部の中央のスリット内を通した状態を示し、（Ａ）は平面側の概略説明図、（Ｂ）は側面側の概略説明図である。
【図１５】前記の実施形態に係る結束補助具において、図１４に示した状態から、糸誘導部の両側に導かれた各第１の糸を引っ張って、第２の糸に巻き付いた状態にある第１の糸のループを糸誘導部側に引き寄せる状態を示した概略説明図である。
【図１６】前記の実施形態に係る結束補助具において、図１５に示した状態から、第２の糸に巻き付いた状態にある第１の糸のループを糸誘導部に引き寄せて、第２の糸に巻き付いた状態にある第１の糸を編み込んでノット部を形成した状態を示した側面側の概略説明図である。
【図１７】前記の実施形態に係る結束補助具において、図１６に示した状態から、前記のノット部を蓋体の上側の所定の位置に導くと共に、第１の糸の本線側と第２の糸の支線側とを第２の糸の本線側と一緒に係止部材に係止させた状態を示した側面側の概略説明図である。
【発明を実施するための最良の形態】
【００２５】
以下、本発明の実施形態に係る結束補助具を添付図面に基づいて具体的に説明する。なお、本発明に係る結束補助具は、下記の実施形態に示したものに限定されず、発明の要旨を変更しない範囲において、適宜変更して実施できるものである。
【００２６】
本実施形態の結束補助具は、図１に示すように、第１の糸Ｌ１を折り返すようにして所要間隔を介した並行状態で保持する保持部材１０と、前記の保持部材１０に回転可能に保持される複数の回転部材２０と、前記の保持部材１０の開閉を行う蓋体３０とで構成されている。
【００２７】
ここで、前記の保持部材１０においては、図１及び図２（Ａ）〜（Ｃ）に示すように、折り返された第１の糸Ｌ１を並行状態になるように導入させる一対の切込み１２が設けられた保持部１１が、保持部材１０の長さ方向に所要間隔を介して複数設けられており、各切込み１２の切込方向端部には、前記の回転部材２０の回転中心と交差するように傾斜したガイド斜面１２ａが形成されている。また、前記の保持部１１においては、一対の切込み１２の間に円柱状の糸ガイド部１３が形成されると共に、この糸ガイド部１３の中央部に、前記の切込み１２と同じ方向に伸びたスリット１４が、前記の回転部材２０の回転中心を超えた位置まで設けられている。さらに、この保持部材１０の開口された上面部には、前記の蓋体３０を開閉可能に取り付けるための軸受部１５が設けられると共に、前記の蓋体３０を閉じた状態で係止させる係止部１６が設けられ、またこの保持部材１０の一端側の端面には、鉤型状に突出した糸保持部１７が設けられている。
【００２８】
また、前記の回転部材２０においては、図１及び図３（Ａ）〜（Ｄ）に示すように、前記の保持部１１における一対の切込み１２に対応するようにして、折り返された第１の糸Ｌ１を並行状態になるようにして導入させる一対の切込み２２が形成された回転部２１が、所要間隔を介して複数（図に示す例では３個）設けられると共に、各回転部２１が回転部材２０を回転させる際の操作レバー２５に連結されており、各切込み２２の切込方向端部には、前記の保持部１１における切込み１２と同様に、回転部材２０の回転中心と交差するように傾斜したガイド斜面２２ａが形成されている。また、前記の回転部２１においては、前記の保持部１１と同様に、前記の一対の切込み２２の間に円柱状の糸ガイド部２３が形成されると共に、この糸ガイド部２３の中央部に、前記の切込み２２と同じ方向に伸びたスリット２４が、回転部材２０の回転中心を超えた位置まで設けられている。
【００２９】
また、前記の蓋体３０においては、前記の図１及び図４に示すように、保持部材１０に軸受部１５に回動可能に装着させるヒンジ部３１が設けられ、この蓋体３０の上面の一端側には糸を係止させるための係止部材３２が設けられると共に、この蓋体３０の他端側には中央にスリット３３ａが形成された糸誘導部３３が設けられている。また、この蓋体３０の長さ方向両側の部分には、蓋体３０の内方に突出するようにして複数の抵抗部３４が設けられている。さらに、この蓋体３０においては、保持部材１０における前記の係止部１６に対応するように係止爪３５が設けられ、この係止爪３５を前記の係止部１６に係止させて、蓋体３０により保持部材１０に閉じた状態で維持させるようにしている。
【００３０】
そして、この結束補助具においては、図５に示すように、保持部材１０における各保持部１１間に、前記の回転部材２０における回転部２１を嵌め込むようにして、各回転部材２０を保持部材１０に回転可能に装着させると共に、保持部材１０における軸受部１５に、蓋体３０におけるヒンジ部３１を装着させて、蓋体３０を保持部材１０の上面部に回動可能に取り付けるようにしている。
【００３１】
ここで、前記のように保持部材１０における保持部１１間に、回転部材２０における回転部２１を装着させた場合において、図６（Ａ）に示すように、回転部２１に設けられた前記の切込み２２、糸ガイド部２３及びスリット２４と、保持部材１０の保持部１１に設けられた切込み１２、糸ガイド部１３及びスリット１４とを一致させた状態から、図６（Ｂ）に示すように、回転部２１を１８０度回転させると、保持部１１において回転部材２０の回転中心を超えた位置まで設けられたスリット１４と、回転部２１において回転部材２０の回転中心を超えた位置まで設けられたスリット２４が重なる部分において、保持部１１と回転部２１とを挿通する挿通穴部ｐが形成されるようになる。
【００３２】
そして、この結束補助具を用いて、ポリエチレン製の撚糸を用いたメインラインからなる第１の糸Ｌ１と、透明なリーダーからなる第２の糸Ｌ２とを結束させるにあたっては、前記のように保持部材１０における各保持部１１間に、回転部材２０における回転部２１を嵌め込むようにして、各回転部材２０を保持部材１０に回転可能に装着させると共に、図７及び図８に示すように、保持部材１０における各保持部１１に設けられた切込み１２、糸ガイド部１３及びスリット１４と、各回転部材２０における各回転部２１に設けられた切込み２２、糸ガイド部２３及びスリット２４とを一致させる。
【００３３】
この状態で、図９に示すように、前記の第１の糸Ｌ１を、糸保持部１７が設けられた保持部材１０の一端側から各保持部１１及び各回転部２１における片側の切込み１２，２２内に導入させるようにして、保持部材１０の長さ方向他端側に導き、この他端側において前記の第１の糸Ｌ１を折り返し、折り返された第１の糸Ｌ１を前記の各保持部１１及び各回転部２１における他方の切込み１２，２２内に導入させて、保持部材１０の長さ方向一端側に戻し、折り返された第１の糸Ｌ１が所要間隔を介した並行状態になるようにして保持部材１０に保持させる。その後、図示していないが、前記の蓋体３０により保持部材１０の上面部を閉じるようにする。
【００３４】
次いで、前記の回転部材２０を折り返し側から順番に１８０度回転させて、各保持部１１における切込み１２と各回転部２１における切込み２２との方向を逆方向にさせる。
【００３５】
このように各回転部材２０を１８０度回転させて、各保持部１１における切込み１２と各回転部２１における切込み２２との方向を逆方向させると、図１０（Ａ）に示すように、前記の第１の糸Ｌ１が各保持部１１と各回転部２１との間において捩られて、各保持部１１と各回転部２１とにそれぞれ第１の糸Ｌ１によるループが形成されるようになる。また、前記のように保持部１１における切込み１２と回転部２１における切込み２２との方向を逆方向になると、図１０（Ｂ）に示すように、各保持部１１における切込み１２の切込方向端部の傾斜したガイド斜面１２ａと、各回転部２１における切込み２２の切込方向端部の傾斜したガイド斜面２２ａとがジグザグ状に配置されるようになり、各保持部１１と各回転部２１とに形成される第１の糸Ｌ１のループは、これらのガイド斜面１２ａ，２２ａに沿ってジグザグ状に傾斜した状態になる。また、前記の図６（Ｂ）に示したように、回転部２１に設けられたスリット１４と、回転部２１に設けられたスリット２４とが重なる部分において、保持部１１と回転部２１とを挿通する挿通穴部ｐが形成され、図１０（Ｃ）に示すように、この挿通穴部ｐが、第１の糸Ｌ１の傾斜された各ループの中心部を通るようになる。
【００３６】
次いで、第２の糸Ｌ２を、図１１（Ａ），（Ｂ），（Ｃ）に示すように、第１の糸Ｌ１が折り返された保持部材１０の他端側から前記の挿通穴部ｐ内を挿通させて、前記のように各保持部１１と各回転部２１とにジグザグ状に傾斜した状態で形成された第１の糸Ｌ１の各ループ内を通して、保持部材１０の長さ方向一端側に導出させるようにする。ここで、前記のように挿通穴部ｐは、第１の糸Ｌ１の傾斜された各ループの中心部に位置するため、第２の糸Ｌ２を第１の糸Ｌ１の各ループ内に適切に挿通させることが容易に行えるようになる。なお、このようにジグザグ状に傾斜した状態で形成された第１の糸Ｌ１の各ループ内に、第２の糸Ｌ２を挿通させた状態の模式図を図１２に示した。
【００３７】
そして、このように第２の糸Ｌ２を第１の糸Ｌ１の各ループ内を通して、保持部材１０の長さ方向一端側に導出させた後、前記のように回転された回転部材２０を元に戻す方向に回転させて、各保持部１１における一対の切込み１２と、保持部１１間に回転可能に保持された回転部２１における一対の切込み２２とを一致させると共に、保持部１１のスリット１４と回転部２１のスリット２４とを一致させる。このようにすると、図１３に示すように、前記の第２の糸Ｌ２の両側に位置する折り返された第１の糸Ｌ１が、各保持部１１と各回転部２１との間で交互に第２の糸Ｌ２に巻き付いた状態になる。
【００３８】
そして、この状態で、第１の糸Ｌ１と第２の糸Ｌ２を、図１４（Ａ），（Ｂ）に示すように、前記の各切込み１２，２２及び各スリット１４，２４を通して保持部材１０の上に設けられた蓋体３０内に導き、第１の糸Ｌ１が折り返された保持部材１０の他端側における第２の糸Ｌ２の本線側を、蓋体３０に設けられた前記の係止部材３２に係止させる。また、折り返されて保持部材１０の長さ方向一端側に導出された２本の第１の糸Ｌ１（本線と支線）を、蓋体３０に設けられた糸誘導部３３において中央のスリット３３ａの両側に分離させて別々に導くようにすると共に、保持部材１０の長さ方向一端側に導出された第２の糸Ｌ２の支線側を、前記の糸誘導部３３の中央のスリット３３ａ内を通して保持部材１０に設けた前記の糸保持部１７に導き、この第２の糸Ｌ２の支線側を２本の第１の糸Ｌ１の間に保持させる。
【００３９】
そして、この状態で、図１５に示すように、糸誘導部３３の両側に導かれた各第１の糸Ｌ１を引っ張って、第２の糸Ｌ２に巻き付いた状態にある第１の糸Ｌ１のループを糸誘導部３３側に引き寄せると共に、蓋体３０の内方に突出するようにして設けられた各抵抗部３４において、第１の糸Ｌ１における各ループの撓みをとるように負荷を加えて、第２の糸Ｌ２に巻き付いた状態にある第１の糸Ｌ１のループを締め付け、必要に応じて、糸誘導部３３の両側に導かれた各第１の糸Ｌ１を個別に引っ張って、図１６に示すように、第２の糸Ｌ２に巻き付いた状態にある第１の糸Ｌ１を、第２の糸Ｌ２に編み込むようにする。このようにすると、第２の糸Ｌ２に対して、第１の糸Ｌ１のループに対応した数の編み込みがまとめて行われて、複数の編み込みが行われたノット部ｎを簡単に形成できるようになる。
【００４０】
その後は、蓋体３０の係止部材３２による第２の糸Ｌ２の本線側の係止を解除して、第２の糸Ｌ２の本線側が移動できるようにし、この状態で、図１７に示すように、前記のように編み込まれたノット部ｎを蓋体３０から引き出し、このノット部ｎを蓋体３０の上側の所定の位置に導くと共に、第１の糸Ｌ１の本線側と第２の糸Ｌ２の支線側とを第２の糸Ｌ２の本線側と一緒に前記の係止部材３２に係止させ、第１の糸Ｌ１の支線側だけを自由な状態にする。
【００４１】
このようにした後は、図示していないが、従来のＦＧノットの場合と同様に、第１の糸Ｌ１の支線を用いて、第１の糸Ｌ１の本線と第２の糸Ｌ２の支線に対してエンドノットの締め付けを行い、さらに第１の糸Ｌ１の本線と第２の糸Ｌ２の支線に対してハーフノットの締め付けを適当回数行った後、第２の糸Ｌ２の支線をカットし、さらに第１の糸Ｌ１の本線に対してハーフノットの締め付けを適当回数行い、最後にエンドノットの締め付けを行い、余分な第１の糸Ｌ１の支線をカットして、ＦＧノットを終了する。
【００４２】
このように、前記の結束補助具を用いると、第２の糸Ｌ２に対して、第１の糸Ｌ１を複数回編み付ける作業が、非常に少ない工程数で簡単に行えるようになり、ポリエチレン製の撚糸を用いたメインラインからなる第１の糸Ｌ１と、透明なリーダーからなる第２の糸Ｌ２とを外れないように結束させる作業が、夜間等の暗い状態であっても短時間で簡単に行えるようになる。
【符号の説明】
【００４３】
１０    保持部材
１１    保持部
１２  切込み、１２ａ  ガイド斜面
１３  糸ガイド部
１４  スリット
１５  軸受部
１６  係止部
１７  糸保持部
２０  回転部材
２１  回転部
２２  切込み、２２ａ  ガイド斜面
２３  糸ガイド部
２４  スリット
２５  操作レバー
３０  蓋体
３１  ヒンジ部
３２  係止部材
３３  糸誘導部、３３ａ  スリット
３４  抵抗部
３５  係止爪
Ｌ１  第１の糸
Ｌ２  第２の糸
ｎ  ノット部
ｐ  挿通穴部
【図１】
0006450194.tif 000002
【図２】
0006450194.tif 000003
【図３】
0006450194.tif 000004
【図４】
0006450194.tif 000005
【図５】
0006450194.tif 000006
【図６】
0006450194.tif 000007
【図７】
0006450194.tif 000008
【図８】
0006450194.tif 000009
【図９】
0006450194.tif 000010
【図１０】
0006450194.tif 000011
【図１１】
0006450194.tif 000012
【図１２】
0006450194.tif 000013
【図１３】
0006450194.tif 000014
【図１４】
0006450194.tif 000015
【図１５】
0006450194.tif 000016
【図１６】
0006450194.tif 000017
【図１７】
0006450194.tif 000018